【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
少なくとも１つのグラントをデバイスに送信すること、ここにおいて、前記少なくとも１つのグラントは、デバイス間（Ｄ２Ｄ）通信のために前記デバイスによってスケジューリング割当て（ＳＡ）がそれにおいて送信されるべき１またはそれ以上のＳＡリソースを識別し、前記少なくとも１つのグラントは、Ｄ２Ｄ通信のために前記デバイスによってデータがそれにおいて送信されるべき１またはそれ以上のデータリソースを識別する、
を備え、
前記少なくとも１つのグラントは、第１のグラントと第２のグラントとを備え、前記第１のグラントは、前記１またはそれ以上のＳＡリソースを識別し、前記第２のグラントは、前記１またはそれ以上のデータリソースを識別し、
前記送信することは、
第１の時間期間において前記１またはそれ以上のＳＡリソースを識別する前記第１のグラントを送信することと、
第２の時間期間において前記１またはそれ以上のデータリソースを識別する前記第２のグラントを送信することと、ここにおいて、前記第２の時間期間は、前記第１の時間期間とは異なるものであり、前記第２の時間期間は、前記第１の時間期間に少なくとも部分的に基づいて決定される、
を備える、方法。
【請求項２】
スクランブリングタイプに従って前記少なくとも１つのグラントをスクランブルすること、ここにおいて、前記スクランブリングタイプは、前記１またはそれ以上のＳＡリソースと前記１またはそれ以上のデータリソースがＤ２Ｄ通信に割り当てられることを示す、
をさらに備える、請求項１に記載の方法。
【請求項３】
前記スクランブリングタイプは、Ｄ２Ｄ無線ネットワーク一時識別子（ＲＮＴＩ）を備える、請求項２に記載の方法。
【請求項４】
前記スクランブリングタイプは、半持続的なスケジューリング（ＳＰＳ）Ｄ２Ｄ無線ネットワーク一時識別子（ＲＮＴＩ）を備える、請求項２に記載の方法。
【請求項５】
前記スクランブルすることは、前記少なくとも１つのグラントの巡回冗長検査（ＣＲＣ）をスクランブルすることを備える、請求項２に記載の方法。
【請求項６】
前記１またはそれ以上のＳＡリソースを識別する前記第１のグラントの前記送信と、前記１またはそれ以上のデータリソースを識別する前記第２のグラントの前記送信とを区別するために、インジケータをセットすること
をさらに備える、請求項１に記載の方法。
【請求項７】
前記少なくとも１つのグラントは、ＳＡ送信電力、ＳＡ変調コーディング方式（ＭＣＳ）、ＳＡ冗長バージョン、またはそれらの組合せを備える、請求項１に記載の方法。
【請求項８】
前記少なくとも１つのグラントは、データ送信電力、データ変調コーディング方式（ＭＣＳ）、データ冗長バージョン、またはそれらの組合せを備える、請求項１に記載の方法。
【請求項９】
前記少なくとも１つのグラントは、前記ＳＡの宛先デバイスについてのターゲット識別（ＩＤ）を備え、前記ターゲットＩＤは、グループキャストＩＤ、ブロードキャストＩＤ、またはユニキャストＩＤであり、前記ターゲットＩＤは、圧縮された、またはインデックスベースのものである、請求項１に記載の方法。
【請求項１０】
前記少なくとも１つのグラントは、前記１またはそれ以上のデータリソースの時間ホッピングパターン、前記１またはそれ以上のデータリソースの周波数ホッピングパターン、またはそれらの組合せを備える、請求項１に記載の方法。
【請求項１１】
前記少なくとも１つのグラントは、１またはそれ以上の送信電力制御（ＴＰＣ）ビットを含み、前記ＴＰＣビットは、ＳＡ送信電力またはデータ送信電力を示す、請求項１に記載の方法。
【請求項１２】
ワイヤレス通信のための装置であって、
少なくとも１つのグラントをデバイスに送信するための手段、ここにおいて、前記少なくとも１つのグラントは、デバイス間（Ｄ２Ｄ）通信のために前記デバイスによってスケジューリング割当て（ＳＡ）がそれにおいて送信されるべき１またはそれ以上のＳＡリソースを識別し、前記少なくとも１つのグラントは、Ｄ２Ｄ通信のために前記デバイスによってデータがそれにおいて送信されるべき１またはそれ以上のデータリソースを識別する、
を備え、
前記少なくとも１つのグラントは、第１のグラントと第２のグラントとを備え、前記第１のグラントは、前記１またはそれ以上のＳＡリソースを識別し、前記第２のグラントは、前記１またはそれ以上のデータリソースを識別し、
前記送信するための手段は、
第１の時間期間において前記１またはそれ以上のＳＡリソースを識別する前記第１のグラントを送信することと、
第２の時間期間において前記１またはそれ以上のデータリソースを識別する前記第２のグラントを送信することと、ここにおいて、前記第２の時間期間は、前記第１の時間期間とは異なるものであり、前記第２の時間期間は、前記第１の時間期間に少なくとも部分的に基づいて決定される、
を行うように構成される、装置。
【請求項１３】
ワイヤレス通信の方法であって、
基地局から少なくとも１つのグラントを受信すること、ここにおいて、前記少なくとも１つのグラントは、デバイス間（Ｄ２Ｄ）通信のためにデバイスによってスケジューリング割当て（ＳＡ）がそれにおいて送信されるべき１またはそれ以上のＳＡリソースを識別し、前記少なくとも１つのグラントは、Ｄ２Ｄ通信のために前記デバイスによってデータがそれにおいて送信されるべき１またはそれ以上のデータリソースを識別する、
を備え、
前記少なくとも１つのグラントは、第１のグラントと第２のグラントとを備え、前記第１のグラントは、前記１またはそれ以上のＳＡリソースを識別し、前記第２のグラントは、前記１またはそれ以上のデータリソースを識別し、
前記受信することは、
第１の時間期間において前記１またはそれ以上のＳＡリソースを識別する前記第１のグラントを受信することと、
第２の時間期間において前記１またはそれ以上のデータリソースを識別する前記第２のグラントを受信することと、ここにおいて、前記第２の時間期間は、前記第１の時間期間とは異なるものであり、前記第２の時間期間は、前記第１の時間期間に少なくとも部分的に基づいて決定される、
を備える、
方法。
【請求項１４】
ワイヤレス通信のための装置であって、
基地局から少なくとも１つのグラントを受信するための手段、ここにおいて、前記少なくとも１つのグラントは、デバイス間（Ｄ２Ｄ）通信のためにデバイスによってスケジューリング割当て（ＳＡ）がそれにおいて送信されるべき１またはそれ以上のＳＡリソースを識別し、前記少なくとも１つのグラントは、Ｄ２Ｄ通信のために前記デバイスによってデータがそれにおいて送信されるべき１またはそれ以上のデータリソースを識別する、
を備え、
前記少なくとも１つのグラントは、第１のグラントと第２のグラントとを備え、前記第１のグラントは、前記１またはそれ以上のＳＡリソースを識別し、前記第２のグラントは、前記１またはそれ以上のデータリソースを識別し、
前記受信するための手段は、
第１の時間期間において前記１またはそれ以上のＳＡリソースを識別する前記第１のグラントを受信することと、
第２の時間期間において前記１またはそれ以上のデータリソースを識別する前記第２のグラントを受信することと、ここにおいて、前記第２の時間期間は、前記第１の時間期間とは異なるものであり、前記第２の時間期間は、前記第１の時間期間に少なくとも部分的に基づいて決定される、
を行うように構成される、
装置。
【請求項１５】
実行されたときに、請求項１乃至１１または１３のうちのいずれか一項に記載の方法をコンピュータに実施させる命令を備えるコンピュータプログラム。